(57)【特許請求の範囲】
【請求項１】
第１の面に表示画面が配置されている、第１の筐体と、
第１の面に表示画面が配置されており前記第１の面の反対側の第２の面にタッチパネルや入力キーなどのデータ入力又は操作部が配置されている、第２の筐体と、
前記第１の筐体と第２の筐体とを、互いに折り畳み可能に且つ両者が共にユーザー側に対向可能であるように接続するための接続手段であって、前記第１の筐体と第２の筐体とを、前記第１の筐体の第１の面の表示画面と前記第２の筐体の第１の面の表示画面とが共にユーザー側に対向している第１の状態と、前記第１の筐体の第１の面の表示画面と前記第２の筐体の第２の面のデータ入力又は操作部とが共にユーザー側に対向している第２の状態との、いずれの状態をも採り得るように、接続するための接続手段と、
を備えたことを特徴とする複数の筐体を有する携帯型情報機器。
【請求項２】
第１の面に表示画面が配置されている、第１の筐体と、
第１の面に表示画面が配置されており前記第１の面の反対側の第２の面にタッチパネルや入力キーなどのデータ入力又は操作部が配置されている、第２の筐体と、
前記第１の筐体と第２の筐体とを、互いに折り畳み可能に且つ両者が共にユーザー側に対向可能であるように接続するための接続手段と、
少なくとも、前記第１の筐体と第２の筐体とを、前記第１の筐体の第１の面の表示画面と前記第２の筐体の第１の面の表示画面とが共にユーザー側に対向している第１の接続状態と、前記第１の筐体の第１の面の表示画面と前記第２の筐体の第２の面のデータ入力又は操作部とが共にユーザー側に対向している第２の接続状態との、いずれの状態をも採り得るようにするための接続状態切替手段と、
を備えたことを特徴とする複数の筐体を有する携帯型情報機器。
【請求項３】
第１の面に表示画面が配置されている、第１の筐体と、
第１の面に表示画面が配置されており前記第１の面の反対側の第２の面にタッチパネルや入力キーなどのデータ入力又は操作部が配置されている、第２の筐体と、
前記第１の筐体と第２の筐体とを、互いに折り畳み可能に且つ両者が共にユーザー側に対向可能であるように接続すると共に、前記第１の筐体と第２の筐体とを、前記第１の筐体の第１の面の表示画面と前記第２の筐体の第１の面の表示画面とが共にユーザー側に対向している第１の状態と、前記第１の筐体の第１の面の表示画面と前記第２の筐体の第２の面のデータ入力又は操作部とが共にユーザー側に対向している第２の状態との、いずれの状態をも採り得るように、接続するための接続手段であって、前記第１の筐体と前記第２の筐体とを互いに部分的に連結したまま、その部分的に連結した部分を回転中心にして一方の筐体を他方の筐体に対して前記他方の筐体の平面と略直交する方向にグルッと回転させる動作を経ることにより、前記第１の状態又は前記第２の状態から他方の状態に移行させるための接続手段と、
を備えたことを特徴とする複数の筐体を有する携帯型情報機器。
【請求項４】
第１の面に表示画面が配置されている、第１の筐体と、
第１の面に表示画面が配置されており前記第１の面の反対側の第２の面にタッチパネルや入力キーなどのデータ入力又は操作部が配置されている、第２の筐体と、
前記第１の筐体と第２の筐体とを、互いに折り畳み可能に且つ両者が共にユーザー側に対向可能であるように接続するための接続手段と、
前記第１の筐体と第２の筐体との接続状態を、前記第１の筐体の第１の面の表示画面と前記第２の筐体の第１の面の表示画面とが共にユーザー側に対向している第１の状態と、前記第１の筐体の第１の面の表示画面と前記第２の筐体の第２の面のデータ入力又は操作部とが共にユーザー側に対向している第２の状態との、いずれかの状態に切替え若しくは変更するための切替手段であって、前記第１の筐体と前記第２の筐体とを互いに部分的に連結したまま、その部分的に連結した部分を回転中心にして一方の筐体を他方の筐体に対して前記他方の筐体の平面と略直交する方向にグルッと回転させる動作を経ることにより、前記第１の状態又は前記第２の状態から他方の状態に切替え若しくは変更するための切替手段と、
を備えたことを特徴とする複数の筐体を有する携帯型情報機器。
【請求項５】
第１の面に表示画面が配置されている、第１の筐体と、
第１の面に表示画面が配置されており前記第１の面の反対側の第２の面にタッチパネルや入力キーなどのデータ入力又は操作部が配置されている、第２の筐体と、
前記第１の筐体の長手方向と直交する側の端部と第２の筐体の長手方向と直交する側の端部とを、各筐体が互いに折り畳み可能で且つ各筐体が共にユーザー側に対向可能であるように、接続するための接続手段であって、前記第１の筐体の長手方向と直交する側の端部と第２の筐体の長手方向と直交する側の端部とを、前記第１の筐体の第１の面の表示画面と前記第２の筐体の第１の面の表示画面とが共にユーザー側に対向している第１の状態と、前記第１の筐体の第１の面の表示画面と前記第２の筐体の第２の面のデータ入力又は操作部とが共にユーザー側に対向している第２の状態との、いずれの状態をも採り得るように、接続するための接続手段と、
を備えたことを特徴とする複数の筐体を有する携帯型情報機器。
【請求項６】
第１の面に表示画面が配置されている、第１の筐体と、
第１の面に表示画面が配置されており前記第１の面の反対側の第２の面にタッチパネルや入力キーなどのデータ入力又は操作部が配置されている、第２の筐体と、
前記第１の筐体の長手方向と直交する側の端部と第２の筐体の長手方向と直交する側の端部とを、各筐体が互いに折り畳み可能で且つ各筐体が共にユーザー側に対向可能であるように、接続するための接続手段と、
前記第１の筐体と第２の筐体とを、前記第１の筐体の第１の面の表示画面と前記第２の筐体の第１の面の表示画面とが共にユーザー側に対向している第１の接続状態と、前記第１の筐体の第１の面の表示画面と前記第２の筐体の第２の面のデータ入力又は操作部とが共にユーザー側に対向している第２の接続状態との、いずれの状態をも採り得るようにするための接続状態切替手段と、
を備えたことを特徴とする複数の筐体を有する携帯型情報機器。
【請求項７】
第１の面に表示画面が配置されている、第１の筐体と、
第１の面に表示画面が配置されており前記第１の面の反対側の第２の面にタッチパネルや入力キーなどのデータ入力又は操作部が配置されている、第２の筐体と、
前記第１の筐体の長手方向と直交する側の端部と第２の筐体の長手方向と直交する側の端部とを、各筐体が互いに折り畳み可能で且つ各筐体が共にユーザー側に対向可能であるように接続すると共に、前記第１の筐体の長手方向と直交する側の端部と第２の筐体の長手方向と直交する側の端部とを、前記第１の筐体の第１の面の表示画面と前記第２の筐体の第１の面の表示画面とが共にユーザー側に対向している第１の状態と、前記第１の筐体の第１の面の表示画面と前記第２の筐体の第２の面のデータ入力又は操作部とが共にユーザー側に対向している第２の状態との、いずれの状態をも採り得るように、接続するための接続手段であって、前記第１の筐体の長手方向と直交する側の端部と前記第２の筐体の長手方向と直交する側の端部とを互いに部分的に連結したまま、その部分的に連結した部分を回転中心にして一方の筐体を他方の筐体に対して前記他方の筐体の平面と略直交する方向にグルッと回転させる動作を経ることにより、前記第１の状態又は前記第２の状態から他方の状態に移行させるための接続手段と、
を備えたことを特徴とする複数の筐体を有する携帯型情報機器。
【請求項８】
第１の面に表示画面が配置されている、第１の筐体と、
第１の面に表示画面が配置されており前記第１の面の反対側の第２の面にタッチパネルや入力キーなどのデータ入力又は操作部が配置されている、第２の筐体と、
前記第１の筐体の長手方向と直交する側の端部と第２の筐体の長手方向と直交する側の端部とを、各筐体が互いに折り畳み可能で且つ各筐体が共にユーザー側に対向可能であるように、接続するための接続手段と、
前記第１の筐体と第２の筐体との接続状態を、前記第１の筐体の第１の面の表示画面と前記第２の筐体の第１の面の表示画面とが共にユーザー側に対向している第１の状態と、前記第１の筐体の第１の面の表示画面と前記第２の筐体の第２の面のデータ入力又は操作部とが共にユーザー側に対向している第２の状態との、いずれかの状態に切替え若しくは変更するための切替手段であって、前記第１の筐体の長手方向と直交する側の端部と前記第２の筐体の長手方向と直交する側の端部とを互いに部分的に連結したまま、その部分的に連結した部分を回転中心にして一方の筐体を他方の筐体に対して前記他方の筐体の平面と略直交する方向にグルッと回転させる動作を経ることにより、前記第１の状態又は前記第２の状態から他方の状態に切替え若しくは変更するための切替手段と、
を備えたことを特徴とする複数の筐体を有する携帯型情報機器。
【発明の詳細な説明】
【０００１】
【発明の属する技術分野】
本発明は、携帯型の情報機器に関する。
【０００２】
【従来の技術】
従来より、ＰＤＡ（パーソナル・デジタル・アシスタンス。携帯情報端末）やノート型（手帳型）パソコン（パーソナル・コンピュータ）などの携帯型の情報機器が市販されている。
【０００３】
【発明が解決しようとする課題】
しかしながら、従来の携帯型情報機器は、いずれも、データ入力機能が弱いという問題がある。すなわち、ノート型パソコンをＢ５ファイルサイズに小型化したものは、キーボードのキーが小さいため、大人の手で速く大量のデータを入力するのは不適格である。また、従来のＰＤＡは、その入力装置として、電子ペンなどで入力するタッチパネルを採用しているが、その入力画面は小さく、速く大量のデータを入力するには不適格である。
【０００４】
本発明はこのような従来技術の課題に着目したもので、不使用時には服のポケットに入るくらい小型化でき、他方、使用時には、大量の文字や画像を大きく表示できると共に、大量のデータを速く入力することができる、携帯型の情報機器を提供することを目的とする。
【０００５】
１  第１の面に表示画面が配置されている、第１の筐体と、第１の面に表示画面が配置されており前記第１の面の反対側の第２の面にタッチパネルや入力キーなどのデータ入力又は操作部が配置されている、第２の筐体と、前記第１の筐体と第２の筐体とを、互いに折り畳み可能に且つ両者が共にユーザー側に対向可能であるように接続するための接続手段であって、前記第１の筐体と第２の筐体とを、前記第１の筐体の第１の面の表示画面と前記第２の筐体の第１の面の表示画面とが共にユーザー側に対向している第１の状態と、前記第１の筐体の第１の面の表示画面と前記第２の筐体の第２の面のデータ入力又は操作部とが共にユーザー側に対向している第２の状態との、いずれの状態をも採り得るように、接続するための接続手段と、を備えたことを特徴とする複数の筐体を有する携帯型情報機器。
２  第１の面に表示画面が配置されている、第１の筐体と、第１の面に表示画面が配置されており前記第１の面の反対側の第２の面にタッチパネルや入力キーなどのデータ入力又は操作部が配置されている、第２の筐体と、前記第１の筐体と第２の筐体とを、互いに折り畳み可能に且つ両者が共にユーザー側に対向可能であるように接続するための接続手段と、少なくとも、前記第１の筐体と第２の筐体とを、前記第１の筐体の第１の面の表示画面と前記第２の筐体の第１の面の表示画面とが共にユーザー側に対向している第１の接続状態と、前記第１の筐体の第１の面の表示画面と前記第２の筐体の第２の面のデータ入力又は操作部とが共にユーザー側に対向している第２の接続状態との、いずれの状態をも採り得るようにするための接続状態切替手段と、を備えたことを特徴とする複数の筐体を有する携帯型情報機器。
３  第１の面に表示画面が配置されている、第１の筐体と、第１の面に表示画面が配置されており前記第１の面の反対側の第２の面にタッチパネルや入力キーなどのデータ入力又は操作部が配置されている、第２の筐体と、前記第１の筐体と第２の筐体とを、互いに折り畳み可能に且つ両者が共にユーザー側に対向可能であるように接続すると共に、前記第１の筐体と第２の筐体とを、前記第１の筐体の第１の面の表示画面と前記第２の筐体の第１の面の表示画面とが共にユーザー側に対向している第１の状態と、前記第１の筐体の第１の面の表示画面と前記第２の筐体の第２の面のデータ入力又は操作部とが共にユーザー側に対向している第２の状態との、いずれの状態をも採り得るように、接続するための接続手段であって、前記第１の筐体と前記第２の筐体とを互いに部分的に連結したまま、その部分的に連結した部分を回転中心にして一方の筐体を他方の筐体に対して前記他方の筐体の平面と略直交する方向にグルッと回転させる動作を経ることにより、前記第１の状態又は前記第２の状態から他方の状態に移行させるための接続手段と、を備えたことを特徴とする複数の筐体を有する携帯型情報機器。
４  第１の面に表示画面が配置されている、第１の筐体と、第１の面に表示画面が配置されており前記第１の面の反対側の第２の面にタッチパネルや入力キーなどのデータ入力又は操作部が配置されている、第２の筐体と、前記第１の筐体と第２の筐体とを、互いに折り畳み可能に且つ両者が共にユーザー側に対向可能であるように接続するための接続手段と、前記第１の筐体と第２の筐体との接続状態を、前記第１の筐体の第１の面の表示画面と前記第２の筐体の第１の面の表示画面とが共にユーザー側に対向している第１の状態と、前記第１の筐体の第１の面の表示画面と前記第２の筐体の第２の面のデータ入力又は操作部とが共にユーザー側に対向している第２の状態との、いずれかの状態に切替え若しくは変更するための切替手段であって、前記第１の筐体と前記第２の筐体とを互いに部分的に連結したまま、その部分的に連結した部分を回転中心にして一方の筐体を他方の筐体に対して前記他方の筐体の平面と略直交する方向にグルッと回転させる動作を経ることにより、前記第１の状態又は前記第２の状態から他方の状態に切替え若しくは変更するための切替手段と、を備えたことを特徴とする複数の筐体を有する携帯型情報機器。
５  第１の面に表示画面が配置されている、第１の筐体と、第１の面に表示画面が配置されており前記第１の面の反対側の第２の面にタッチパネルや入力キーなどのデータ入力又は操作部が配置されている、第２の筐体と、前記第１の筐体の長手方向と直交する側の端部と第２の筐体の長手方向と直交する側の端部とを、各筐体が互いに折り畳み可能で且つ各筐体が共にユーザー側に対向可能であるように、接続するための接続手段であって、前記第１の筐体の長手方向と直交する側の端部と第２の筐体の長手方向と直交する側の端部とを、前記第１の筐体の第１の面の表示画面と前記第２の筐体の第１の面の表示画面とが共にユーザー側に対向している第１の状態と、前記第１の筐体の第１の面の表示画面と前記第２の筐体の第２の面のデータ入力又は操作部とが共にユーザー側に対向している第２の状態との、いずれの状態をも採り得るように、接続するための接続手段と、を備えたことを特徴とする複数の筐体を有する携帯型情報機器。
６  第１の面に表示画面が配置されている、第１の筐体と、第１の面に表示画面が配置されており前記第１の面の反対側の第２の面にタッチパネルや入力キーなどのデータ入力又は操作部が配置されている、第２の筐体と、前記第１の筐体の長手方向と直交する側の端部と第２の筐体の長手方向と直交する側の端部とを、各筐体が互いに折り畳み可能で且つ各筐体が共にユーザー側に対向可能であるように、接続するための接続手段と、前記第１の筐体と第２の筐体とを、前記第１の筐体の第１の面の表示画面と前記第２の筐体の第１の面の表示画面とが共にユーザー側に対向している第１の接続状態と、前記第１の筐体の第１の面の表示画面と前記第２の筐体の第２の面のデータ入力又は操作部とが共にユーザー側に対向している第２の接続状態との、いずれの状態をも採り得るようにするための接続状態切替手段と、を備えたことを特徴とする複数の筐体を有する携帯型情報機器。
７  第１の面に表示画面が配置されている、第１の筐体と、第１の面に表示画面が配置されており前記第１の面の反対側の第２の面にタッチパネルや入力キーなどのデータ入力又は操作部が配置されている、第２の筐体と、前記第１の筐体の長手方向と直交する側の端部と第２の筐体の長手方向と直交する側の端部とを、各筐体が互いに折り畳み可能で且つ各筐体が共にユーザー側に対向可能であるように接続すると共に、前記第１の筐体の長手方向と直交する側の端部と第２の筐体の長手方向と直交する側の端部とを、前記第１の筐体の第１の面の表示画面と前記第２の筐体の第１の面の表示画面とが共にユーザー側に対向している第１の状態と、前記第１の筐体の第１の面の表示画面と前記第２の筐体の第２の面のデータ入力又は操作部とが共にユーザー側に対向している第２の状態との、いずれの状態をも採り得るように、接続するための接続手段であって、前記第１の筐体の長手方向と直交する側の端部と前記第２の筐体の長手方向と直交する側の端部とを互いに部分的に連結したまま、その部分的に連結した部分を回転中心にして一方の筐体を他方の筐体に対して前記他方の筐体の平面と略直交する方向にグルッと回転させる動作を経ることにより、前記第１の状態又は前記第２の状態から他方の状態に移行させるための接続手段と、を備えたことを特徴とする複数の筐体を有する携帯型情報機器。
８  第１の面に表示画面が配置されている、第１の筐体と、第１の面に表示画面が配置されており前記第１の面の反対側の第２の面にタッチパネルや入力キーなどのデータ入力又は操作部が配置されている、第２の筐体と、前記第１の筐体の長手方向と直交する側の端部と第２の筐体の長手方向と直交する側の端部とを、各筐体が互いに折り畳み可能で且つ各筐体が共にユーザー側に対向可能であるように、接続するための接続手段と、前記第１の筐体と第２の筐体との接続状態を、前記第１の筐体の第１の面の表示画面と前記第２の筐体の第１の面の表示画面とが共にユーザー側に対向している第１の状態と、前記第１の筐体の第１の面の表示画面と前記第２の筐体の第２の面のデータ入力又は操作部とが共にユーザー側に対向している第２の状態との、いずれかの状態に切替え若しくは変更するための切替手段であって、前記第１の筐体の長手方向と直交する側の端部と前記第２の筐体の長手方向と直交する側の端部とを互いに部分的に連結したまま、その部分的に連結した部分を回転中心にして一方の筐体を他方の筐体に対して前記他方の筐体の平面と略直交する方向にグルッと回転させる動作を経ることにより、前記第１の状態又は前記第２の状態から他方の状態に切替え若しくは変更するための切替手段と、を備えたことを特徴とする複数の筐体を有する携帯型情報機器。
【００１０】
また、本実施例では、図示していないが、前記第１のパネル１と第２のパネル２を、それらが互いに見開きの状態にされたとき、それらを互いに約１１０度から約１７０度まで（より望ましくは、１２０〜１６０度まで）の間の任意の角度で固定するための固定手段（フックや、前記連結部４による摩擦手段など）が備えられている。また、本実施例では、前記第２のパネル２と第３のパネル３を、それらが互いに見開きの状態にされたとき、それらを互いに約１００度から約１３０度までの間の任意の角度で固定するための固定手段（フックや、前記連結部４による摩擦手段など）が備えられている。
【００１１】
次に、本実施例の動作を説明する。まず、不使用時には、図１に示すように、第１、第２、及び第３のパネル１，２，３を互いに重ね合わせることにより、これらの３つのパネル１，２，３を互いに重ねてコンパクトにして持ち運ぶことができるようになっている。なお、この図１に示す状態でも、前記第１のパネル１の外側の面に形成された携帯電話機１０は、そのまま使用することができる。
【００１２】
次に、主として、文字又は画像のデータを出力・表示する（ユーザーが見る）ために使用する時は、図２のような状態で使用する。すなわち、第１のパネル１と第２のパネル２とを見開きの状態にする。そして、第２のパネル２と第３のパネル３とは、それらの互いに対向する面がほぼ密着するように固定する（図示しないフックなどにより）ようにする。
【００１３】
また、この場合、互いに見開き状態にされた第１のパネル１と第２のパネル２とは、例えば、約１１０度から約１７０度の間の中の複数の角度で、固定できるようにしている。この固定は、例えば、連結部４の摩擦手段により、ユーザーの任意の角度で半固定状態に保持される。これにより、ユーザーは、例えば、図２のＡで示す部分に左手の親指を入れて、第１のパネル１及び第３のパネル３の外側の面を左手の手のひらに載せることにより、本実施例の装置を、左手の片手のみで、安定的に保持・支持することができる。
【００１４】
この実施例では、図２の使用時は、図２の上下方向がそのままユーザーの上下方向とほぼ一致するように、使用する。つまり、ユーザーは、あたかも、第１のパネル１と第２のパネル２とが、本の両面のように見開かれた状態で、使用する。
【００１５】
また、第１のパネル１と第２のパネル２の表示部１ａ及び２ａが、約１１０度から約１７０度の間の中の任意の角度で見開かれた状態で、文字又は画像が表示されるので、ユーザーの両眼からの表示部１ａ及び２ａの全体の距離が、両眼からほぼ等距離に保持されるので、ユーザーにとって、大変見やすいものになる。
【００１６】
また、図２に示すように、本実施例では、第２のパネル２は大変薄く形成されている。また、第１のパネル１と第３のパネル３は、ほぼ均等な厚さに形成されている。したがって、図２に示すように見開きの状態にされたとき、第１のパネル１及び第２のパネル２を重ねたものと、第３のパネル３とは、その厚さがほぼ均等になっている。よって、ユーザーは、前記Ａで示す部分に親指を入れて本実施例を支持するとき、左右に見開きにされた部分が左右均等なので、左右のバランスが取りやすく、大変にもちやすく支持しやすいものになる。
【００１７】
次に、本実施例を、主として大量のデータを速く入力するために使用するときの動作を説明する。この場合は、図３に示すように、第２のパネル２と第３のパネル３とを互いに見開いた状態で、使用する。そのとき、第２のパネル２は、第１のパネル１とほぼ密着するように、図示しないフックなどの手段により固定するようにしている。
【００１８】
また、この場合、ユーザーは、本実施例を、第３のパネル３が下方にくるようにテーブルの上などに置いて、図３の矢印Ｂで示す方向から、第３のパネル３のキーボード部３ａを操作して、データ入力を行う。データ入力の内容は、第２のパネル２の表示部２ｂにリアルタイムに表示されるので、ユーザーは、入力の誤りなどを随時チェックできる。
【００１９】
また、この場合、第２のパネル２の表示部２ａと第３のパネル３のキーボード部３ａは、連結部４に形成された摩擦手段などの固定（半固定）手段により、約１００度から約１３０度の間の中の任意の角度で見開かれた状態で、保持される。よって、ユーザーは、キーボード部３ａを使用しながら、表示部２ａを見るときに、表示部２ａの画面が大変見やすいものになる。
【００２０】
実施例２．
次に、図４に基づいて、本発明の実施例２を説明する。この実施例は、第１のパネル１１と第２のパネル１２とが、互いに図４のように連結されて形成されている。図４（ａ）は、主として、文字や画像を出力するために使用するときの図である。この場合は、第１のパネル１１の表示部１１ａと第２のパネル１２の表示部１２ａとが、互いに見開きの状態になるように、見開いて使用する。
【００２１】
次に、この図４（ａ）の状態から、主として、データ入力のために使用するときに移行するための動作を説明する。この場合は、図４（ｂ）に示すように、第１のパネル１１と第２のパネル１２とを、いったん切り離す。そして、第２のパネル１２の前記表示部１２ａの備えられた面の反対側の面に備えられたキーボード部１２ｂのある方の面を、ユーザー側に向けて、このキーボード部１２ｂが前記第１のパネル１１の表示部１１ａと見開きの状態になるように、第１のパネル１１と第２のパネル１２とを、連結する（連結手段は図示省略するが、公知のものを利用できる）。これにより、図４（ｃ）に示すような状態となり、ユーザーがデータ入力しやすい状態となる。
【００２２】
この実施例２によっても、実施例１とほぼ同様の効果が得られる。なお、この実施例２において、図４（ｂ）に示すようにではなく、例えば、第１のパネル１１と第２のパネル１２の中心部を連結したまま、グルッと回転させて、第１のパネル１１の表示部１１ａと、第２のパネル１２のキーボード部１２ｂとを、見開きの状態にさせるようにしてもよい。
【００２３】
【発明の効果】
以上のように、本発明によれば、不使用時には服のポケットに入るくらい小型化でき、他方、使用時には、大量の文字や画像を大きく表示できると共に、大量のデータを速く入力することができる、携帯型の情報機器を提供することができる。
【図面の簡単な説明】
【図１】  本発明の実施例１の不使用時の状態を示す斜視図である。
【図２】  実施例１を主としてデータ表示（出力）のために使用する時の状態を示す斜視図である。
【図３】  実施例１を主としてデータ入力のために使用する時の状態を示す斜視図である。
【図４】  （ａ），（ｂ），（ｃ）はいずれも、本発明の実施例２を説明するための図である。
【符号の説明】
１，１１  第１のパネル
２，１２  第２のパネル
３  第３のパネル
１ａ，２ａ，２ｂ，１１ａ，１２ａ  表示部
３ａ，１２ｂ  キーボード部
４  連結部
１０  携帯電話機
【図１】
0004172035.tif 000002
【図２】
0004172035.tif 000003
【図３】
0004172035.tif 000004
【図４】
0004172035.tif 000005